(57)【要約】【課題】  サッシ枠に対する取り付け作業が簡単でかつ十分な固定力を確保でき、しかも、材料コスト及び製作コストを低減できる日除け吊り具を提供する。【解決手段】  本発明の日除け吊り具１は、フック部２を有する支持アーム４の基端側に固定された取付板部８と、この取付板部８との間で溝部９が形成されるように当該取付板部８に相対向状に連結された背面板部１０と、溝部９内に嵌め込まれたサッシ枠１４を背面板部１０に押し付けて固定するための締め付け手段６とを備えている。  この締め付け手段６は、水平方向にスライド自在となるように溝部９内に収納されたスライド部材１５よりなり、このスライド部材１５の水平方向一方側への移動に伴って当該スライド部材１５を背面板部１０側へ移動させるカム面２３がスライド部材１５に形成されている。【選択図】図１
2008302189.tif 000002
【特許請求の範囲】
【請求項１】
日除けを吊り下げるためのフック部を有する支持アームと、この支持アームの基端側に固定された取付板部と、この取付板部との間で上方開口状の溝部が形成されるように当該取付板部に相対向状に連結された背面板部と、前記溝部内に嵌め込まれたサッシ枠を前記背面板部に押し付けて固定するための締め付け手段と、を備えている日除け吊り具において、
前記締め付け手段は、水平方向にスライド自在となるように前記溝部内に収納されたスライド部材よりなり、このスライド部材の水平方向一方側への移動に伴って当該スライド部材を前記背面板部側へ移動させるカム面が前記スライド部材又は前記取付板部に形成されていることを特徴とする日除け吊り具。
【請求項２】
前記スライド部材は前記溝部よりも水平方向に長い板材よりなり、この板材の背面全体がサッシ枠に対する押圧面となっている請求項１に記載の日除け吊り具。
【請求項３】
前記溝部側に突出するガイド突起が前記取付板部に設けられ、このガイド突起がスライド自在に嵌合する水平方向に延びるガイド溝が前記板材よりなるスライド部材の前記取付板部側に形成されている請求項２に記載の日除け吊り具。
【請求項４】
前記カム面が前記ガイド溝の底面に形成され、このガイド突起に嵌合する前記ガイド突起が前記カム面に当接することで前記スライド部材が前記背面板部側へ移動するようになっている請求項３に記載の日除け吊り具。
【請求項５】
前記ガイド突起が前記取付板部の左右両端部に分かれて配置されており、その各ガイド突起に対応する前記カム面を有する前記ガイド溝が複数形成されていること請求項４に記載の日除け吊り具。
【請求項６】
前記ガイド突起が前記取付板部の左右両端部及び上下両端部の四隅に分かれて配置されており、その各ガイド突起に対応する前記カム面を有する前記ガイド溝が複数形成されている請求項４に記載の日除け吊り具。
【請求項７】
前記サッシ枠の下端縁に形成された小リブに掛止可能な掛止突起が前記背面板部に形成されている請求項１〜６のいずれか１項に記載の日除け吊り具。
【発明の詳細な説明】
【技術分野】
【０００１】  本発明は、すだれ等の日除けを窓等のサッシ枠に吊り下げるのに適した日除け吊り具に関する。
【背景技術】
【０００２】  この種の日除け吊り具として、例えば特許文献１（従来例１）に記載のものが知られている。この従来例１の日除け吊り具は、日除けを吊り下げるためのフック部を有する支持アームと、この支持アームの基端側に固定された取付板部と、この取付板部との間で上方開口状の溝部が形成されるように当該取付板部に相対向状に連結された背面板部と、その溝部内に嵌め込まれたサッシ枠を背面板部に押し付けて固定するための締め付け手段と、を備えている。【０００３】  そして、上記従来例１の日除け吊り具では、締め付け手段として、取付板部に貫通状に設けたねじ孔に螺合するねじ軸と、このねじ軸に固定されたねじ頭部とからなる締め付けねじが採用されていた。
上記のような締め付けねじを採用している日除け吊り具では、ねじ頭部を何回も回動しないとねじ軸をその軸心方向に移動できないので、溝部内にサッシ枠を嵌め込んだ後の締め付けねじの締め付け作業に時間と手間がかかり、このため、日除け吊り具をサッシ枠に取り付けるのが非常に面倒であるという欠点がある。【０００４】  また、前記締め付けねじを採用した日除け吊り具の場合、サッシ枠に対する固定力を有効に確保するためには、かなり大きなトルクでねじ頭部を指で回動する必要があるため、女性等の力の弱いユーザーの場合には日除け吊り具をサッシ枠に対して強固に固定できない場合があった。
そこで、本出願人は、締め付け手段が、溝部内に出退自在となるように取付板部に貫通して設けられた押圧体と、取付板部の厚さ方向の軸心回りに回動自在となるように当該取付板部の表面に枢着された操作レバーとから構成された日除け吊り具を、既に提案している（特許文献２：従来例２）。【０００５】  上記操作レバーには、当該レバーが軸心回りの一方側へ回転することで押圧体を背面板部側へ移動させる方向に傾斜したカム面が形成されている。
このため、上記従来例２の日除け吊り具によれば、操作レバーを一方側へ回転するだけで日除け吊り具の支持アームをサッシ枠に固定でき、サッシ枠に対する取り付け作業が非常に簡単になるとともに、比較的小さなトルクで操作レバーを回転するだけで押圧体を強固に締め付けられるので、力の弱いユーザーでも十分な固定力を確保することができる。【０００６】
【特許文献１】  実用新案登録第３００４４６８号公報
【特許文献２】  特許第３７８０３５１号公報
【発明の開示】
【発明が解決しようとする課題】
【０００７】  しかしながら、上記従来例２の日除け吊り具では、締め付け手段が、溝部内に出退自在な押圧体と、取付板部に回動自在に枢着された操作レバーとからなり、締め付け手段が２種類の可動部材で構成されている。
このため、締め付け手段の構造が締め付けねじに比べて複雑であり、部品点数や製作工数が多くなって材料コスト及び製作コストが高くなるという問題があった。【０００８】  そこで、本発明の課題は、サッシ枠に対する取り付け作業が簡単でかつ十分な固定力を確保でき、しかも、材料コスト及び製作コストを低減することができる日除け吊り具を提供する点にある。
【課題を解決するための手段】
【０００９】  上記課題を達成するために、本発明は次の技術的手段を講じた。
すなわち、本発明は、前記した日除け吊り具において、締め付け手段は、水平方向にスライド自在となるように前記溝部内に収納されたスライド部材よりなり、このスライド部材の水平方向一方側への移動に伴って当該スライド部材を前記背面板部側へ移動させるカム面が前記スライド部材又は前記取付板部に形成されていることを特徴とする。【００１０】  本発明によれば、スライド部材を水平方向一方側へ移動させると、カム面によってスライド部材自身が背面板部側へ移動し、溝部内に嵌め込まれているサッシ枠を背面板部側へ強固に押し付ける。このため、スライド部材を水平方向一方側へ移動させるという極めて簡単な操作で、日除け吊り具をサッシ枠に対して強固に取り付けることができる。
また、本発明によれば、締め付け手段を構成する可動部材がスライド部材のみであるため、出退自在な押圧体と回動自在な操作レバーよりなる従来例２の締め付け手段の場合に比べて、可動部材の部品点数が最小限になっており、締め付け手段の構造が簡単になる。【００１１】  本発明において、前記スライド部材は前記溝部よりも水平方向に長い板材よりなり、この板材の背面全体がサッシ枠に対する押圧面となっていることが好ましい。
この場合、溝部よりも水平方向に長い板材よりなるスライド部材の背面全体でサッシ枠が押圧されるので、サッシ枠に対する接触面積が大きくなり、日除け吊り具の固定力を増大させることができる。【００１２】  また、本発明において、前記溝部側に突出するガイド突起が前記取付板部に設けられ、このガイド突起がスライド自在に嵌合する水平方向に延びるガイド溝が前記板材よりなるスライド部材の前記取付板部側に形成されていることが好ましい。
この場合、取付板部のガイド突起がスライド部材に形成されたガイド溝にスライド自在に嵌合するので、スライド部材の水平方向の移動がスムーズになり、スライド部材に対する締め付け操作がより簡便になる。【００１３】  更に、本発明において、前記カム面が前記ガイド溝の底面に形成され、このガイド突起に嵌合する前記ガイド突起が前記カム面に当接することで前記スライド部材が前記背面板部側へ移動するようになっていることが好ましい。
この場合、スライド部材を背面板部側へ移動させるためのカム面がガイド溝の底面に形成されているので、スライド部材が水平方向一方側に移動するとガイド突起が必ずガイド溝内のカム面に乗り上げることになる。このため、スライド部材に対する締め付け操作がより確実になる。【００１４】  本発明において、前記ガイド突起が前記取付板部の左右両端部に分かれて配置されており、その各ガイド突起に対応する前記カム面を有する前記ガイド溝が複数形成されていることが好ましい。
この場合、取付板部の左右両端部に位置する各ガイド突起が、これらに対応するカム面に当接することでスライド部材が背面板部側に移動する。このため、スライド部材を締め付けた時に当該スライド部材に作用する力点が取付板部の左右両端部となり、その力点が１つの場合に比べて、スライド部材に対する締め付け力を強化することができる。【００１５】  また、本発明において、前記ガイド突起が前記取付板部の左右両端部及び上下両端部の四隅に分かれて配置されており、その各ガイド突起に対応する前記カム面を有する前記ガイド溝が複数形成されている構造にしてもよい。
この場合、スライド部材を締め付けた時に当該スライド部材に作用する力点が左右及び上下両端の四隅となるので、その力点が１つの場合に比べて、スライド部材に対する締め付け力を更に大幅に強化することができる。【００１６】  更に、本発明において、前記サッシ枠の下端縁に形成された小リブに掛止可能な掛止突起が前記背面板部の内面に形成されていることが好ましい。
この場合、スライド部材の締め付け力が徐々に緩んで日除け吊り具がサッシ枠から下方にずり落ちようとしても、上記掛止突起がサッシ枠の小リブに引っ掛かり、日除け吊り具が締め付け力の緩みでサッシ枠からの急激に脱落するのを未然に防止することができる。
【発明の効果】
【００１７】  以上の通り、本発明によれば、スライド部材を水平方向一方側へ移動させるだけで日除け吊り具をサッシ枠に強固に取り付けることができるので、サッシ枠に対する取り付け作業が簡単になる。
また、本発明によれば、締め付け手段を構成する可動部材がスライド部材のみであるから、可動部材の部品点数が最小限に抑えられる。このため、締め付け手段の構造が簡単になり、材料コスト及び製作コストを低減することができる。
【発明を実施するための最良の形態】
【００１８】  以下、図面に描かれた本発明の実施形態を説明する。
図１は、本実施形態の日除け吊り具の取り付け状態を示す側面図である。
図１に示すように、本実施形態の日除け吊り具１は、すだれ等よりなる日除け（図示せず）を吊り下げるためのフック部２を有する支持アーム４と、この支持アーム４の基端側に一体に形成された取付枠部５と、この取付枠部５に設けられた締め付け手段６と、を備えている。【００１９】  このうち、支持アーム４と取付枠部５は一枚物のスレンレス鋼材を図示の形状に屈曲することにより一体に形成されている。支持アーム４は、先端側に向かうに従って徐々に先細りとなる細長い板状に形成されており、幅方向両端部を下方に屈曲することによって形成された補強リブ７を備えている。
この支持アーム４の先端側に前記フック部２が屈曲形成されており、このフック部２は、その自由端がアーム基端側に向くように屈曲されている。【００２０】  本実施形態の取付枠部５は、支持アーム４の基端側に一体に形成された、断面コの字形の枠材よりなる。この取付枠部５は、支持アーム４に対してほぼ直交した状態でその基端部に連なる取付板部８と、この取付板部８との間で上方開口状の溝部９が形成されるように当該取付板部８に対して相対向状に連結された背面板部１０とを備えている（図５参照）。なお、例えば、硬質プラスチック製の支持アーム４を金属製の取付枠部５にねじ止め等することにより、両部材を別体で構成することもできる。【００２１】  図２（ａ）は、図１の矢印Ａ方向から見た取付枠部５の拡大図であり、図２（ｂ）は、図１の矢印Ｂ方向から見た取付枠部５の拡大図である。
図２（ｂ）に示すように、取付枠部５の取付板部８には、溝部９側に突出する複数（図例では合計４つ）のガイド突起１２が形成されていて、これらのガイド突起１２はいずれも平面形状がほぼ半円形になっている（図５参照）。【００２２】  図例の４つのガイド突起１２は、取付板部８の左右両端部及び上下両端部の四隅に分かれて配置されている。このうち、上側の左右一対の突起１２ＲＵ，１２ＬＵは、取付板部８の上端縁部を溝部９側に向かって片持ち状に屈曲することによって形成され、下側の左右一対の突起１２ＬＤ，１２ＬＤは、取付板部８自体を溝部９側に向かって切り起こすことによって形成されている。
なお、上側の左右一対のガイド突起１２ＲＵ，１２ＬＵは同じ高さ位置で、かつ、取付板部８の中央から等距離だけ離れた左右対称位置に配置され、下側の左右一対のガイド突起１２ＲＤ，１２ＬＤについても、それと同様の配置である。【００２３】  図２（ａ）に示すように、取付枠部５の背面板部１０には、当該背面板部１０自体を溝部９側に膨出させてなる掛止突起１３が形成されている。この掛止突起１３は、背面板部１０の内面（溝部９側の面）から突出しており、図１に示すサッシ枠１４の下端縁に形成された小リブ（アルミ合金製のサッシ枠１４の下端縁には、通常、１ｍｍ程度の小リブが形成されていることが多い。）に掛止可能である。
このため、後述するスライド部材１５の締め付け力が徐々に緩んで日除け吊り具１がサッシ枠１４から下方にずり落ちそうになっても、掛止突起１３がサッシ枠１４の小リブに引っ掛かり、日除け吊り具１が締め付け力の緩みでサッシ枠１４からの急激に脱落するのが未然に防止される。【００２４】  前記締め付け手段６は、取付枠部５の溝部９内に嵌め込まれたサッシ枠１４（図１参照）を背面板部１０に押し付けて固定するためのものであり、本実施形態の締め付け手段６は、水平方向にスライド自在となるように取付枠部５の溝部９内に収納されたスライド部材１５によりなる。図３及び図４は、このスライド部材１２の具体的構造を示している。
このうち、図３（ａ）は上記スライド部材１５の正面図であり、図３（ｂ）はそのスライド部材１５の底面図であり、図３（ｃ）はそのスライド部材１５の左側面図である。また、図４（ａ）は、図３（ａ）のＣ−Ｃ線断面図であり、図４（ｂ）は、図３（ａ）のＤ−Ｄ線断面図である。【００２５】  図３に示すように、本実施形態のスライド部材１２は、取付枠部５の溝部９よりも水平方向に長い合成樹脂製の板材よりなり、横長のほぼ長方形状のスライド本体１６と、この本体１６の長手方向一端部に突設されたほぼ半円形状のつまみ部１７とからなる。
サッシ枠１４に対する押圧面となる上記スライド本体１６の背面には、滑り止め効果を向上させるための水平方向に延びる多数の滑り止め突条１８が形成されている（図３（ｃ）参照）。【００２６】  また、スライド本体１６の正面（取付板部８側の面）には、前記ガイド突起１２が嵌合する、水平方向に延びるガイド溝２０が形成されている。このガイド溝２０は、前記ガイド突起１２に対応して、スライド本体１６の左右両側及び上下両側に分かれて配置されている。
このうち、上側に位置する左右一対のガイド溝２０ＲＵ，２０ＬＵは、スライド本体１６の上部側の同じ高さ位置で水平方向に延びており、下側に位置する左右一対のガイド溝２０ＲＤ，２０ＬＤは、スライド本体１６の下部側の同じ高さ位置で水平方向に延びている。左上のガイド溝２０ＬＵと左下のガイド溝２０ＬＤはスライド本体１６の左端縁に繋がっており、この左端縁が、対応するガイド突起１２ＬＵ，１２ＬＤの入り口になっている。【００２７】  一方、スライド本体１６の中央部には、右側に位置する上下のガイド突起２０ＲＵ，２０ＲＤを、これらに対応するガイド溝１２ＲＵ，１２ＲＤに導くための導入溝２１，２２が形成されている。
このうち、右上のガイド突起１２ＲＵのための第一導入溝２１は、スライド本体１６の下端縁に繋がる入り口を有する下半部２１Ａと、この下半部２１Ａから右側に延びる中間部２２Ｂと、この中間部２２Ｂから上方に延びて右上のガイド溝２０ＲＵに連通する上半部２１Ｃとからなる。【００２８】  また、右下のガイド突起ＲＤのための第二導入溝２２は、スライド本体１６の下端縁に繋がる入り口を有し、上記第一導入溝２１の上半部２１Ｃと同じ左右方向位置に配置されている。
上記各ガイド溝１２ＲＵ，１２ＲＤ，１２ＬＵ，１２ＬＤの底面には、スライド部材１５の水平方向一方側（図例では左側）への移動に伴って当該スライド部材１５を背面板部１０側へ移動させるカム面２３が形成されている。具体的には、このカム面２３は、各ガイド溝１２の入り口部分から離れるに従って底面が徐々に底上げされる方向に傾斜した、ほぼ真っ直ぐな傾斜面よりなる。【００２９】  上記スライド部材１５を取付枠部５の溝部９内に装着するには、まず、右上のガイド突起ＲＵを第一導入溝２１の下半部２１Ａに入れ、スライド部材１５を溝部９の底側に落とし込む。図５（ａ）はこの状態を示している。
次に、右上のガイド突起１２ＲＵを第一導入溝２１の中間部２１Ｂに沿って右側にスライドさせ、右上のガイド突起１２ＲＵを上半部２１Ｃのところまで持ってくる。このとき、右下のガイド突起１２ＲＤが第二導入溝２２に合致するので、スライド部材１５を更に溝部９の底側に落とし込む。図５（ｂ）はこの状態を示している。【００３０】  その後、左上のガイド突起１２ＬＵと左下のガイド突起１２ＬＤを、それぞれ対応するガイド溝２０ＬＵ，２０ＲＵの入り口に挿入して、スライド部材１５を左側にスライドさせる。これにより、水平方向にスライド自在となるように、スライド部材１５を溝部９の内部に装着することができる。
なお、上記装着を製造者側で行い、スライド部材１５を装着した状態で商品出荷してもよいし、スライド部材１５と取付枠部５とを別体の状態で商品出荷し、その装着をユーザー側で行って貰うようにしてもよい。【００３１】  次に、上記構成を有する日除け吊り具１の使用方法と作用を説明する。
本実施形態の日除け吊り具１をサッシ枠１４に取り付けるには、まず、スライド部材１５をつまみ部１７側に引き出した状態にしておき、この状態で、図１に示すように、取付枠部５の溝部９内にサッシ枠１４を嵌め込んで、日除け吊り具１をサッシ枠１４の屋外側面（図１の左側の側面）から突出するようにセットする。【００３２】  その後、つまみ部１７を指で持ち、その指でスライド部材１５を水平方向一方側（図５の左側）に強制的に移動させる。
このとき、取付板部８側のガイド突起１２がスライド部材１５のガイド溝２０に沿って相対移動するので、ガイド突起１２の先端がガイド溝２０内のカム面２３に当接することにより、当該スライド部材１５が溝部９内を背面板部１０側に移動する。
このため、スライド部材１５の背面側の押圧面（滑り止め突条１８）がサッシ枠１４を背面板部１０に向かって強固に押し付け、日除け吊り具１の取付枠部５がサッシ枠１４に対して強固に取り付けられる。【００３３】  このように、本実施形態の日除け吊り具１によれば、スライド部材１５を水平方向一方側に移動させるという極めて簡単な操作で、日除け吊り具１をサッシ枠１４に対して強固に取り付けられるので、締め付けねじを使用している従来品に比べてサッシ枠１４に対する取付作業を大幅に簡便化することができる。
また、本実施形態の日除け吊り具１によれば、締め付け手段６を構成する可動部材がスライド部材１５のみである。従って、出退自在な押圧体と回動自在な操作レバーとからなる締め付け手段を採用する場合に比べて、可動部材の部品点数が最小限になり、締め付け手段の構造が簡単になる。【００３４】  なお、本発明は上記実施形態に限定されるものではない。
例えば、ガイド突起１２とこれに対応するガイド溝２０の数や配置は図例のものに限定されず、少なくとも１つあればよい。もつとも、スライド部材１５に対する力点を分散させて締め付け力を強化するためには、上記実施形態のように、カム面２３に当接するガイド突起１２を四隅に分散させて配置することが好ましい。
また、ガイド溝２０を取付板部８側に形成し、ガイド突起１２をスライド部材１５側に形成してもよい。【００３５】  更に、上記ガイド突起１２及びガイド溝２０は本発明にとって必須要素ではなく、要は、スライド部材１５の水平方向一方側への移動に伴って当該スライド部材１５を背面板部１０側へ移動させるカム面２３が、スライド部材１５又は取付板部８に設けられておればよい。従って、カム面２３を取付板部８側に形成し、これに当接してカム作用を奏する摺動部をスライド部材１５側に形成してもよい。
【図面の簡単な説明】
【００３６】
【図１】  日除け吊り具の取り付け状態を示す側面図である。
【図２】  （ａ）は図１の矢印Ａ方向から見た取付枠部の拡大図、（ｂ）は図１の矢印Ｂ方向から見た取付枠部の拡大図である。
【図３】  （ａ）はスライド部材の正面図、（ｂ）はスライド部材の底面図、（ｃ）はスライド部材の左側面図である。
【図４】  （ａ）は図３（ａ）のＣ−Ｃ線断面図、（ｂ）は図３（ａ）のＤ−Ｄ線断面図である。
【図５】  スライド部材の装着手順を示す図である。
【符号の説明】
【００３７】    １    日除け吊り具
２    フック部
４    支持アーム
５    取付枠部
６    締め付け手段
８    取付板部
９    溝部
１０    背面板部
１１    サッシ枠
１２    ガイド突起
１３    掛止突起
１４    サッシ枠
１５    スライド部材
２０    ガイド溝
２３    カム面
【図１】
2008302189.tif 000003
【図２】
2008302189.tif 000004
【図３】
2008302189.tif 000005
【図４】
2008302189.tif 000006
【図５】
2008302189.tif 000007
【手続補正書】
【提出日】平成20年1月5日(2008.1.5)
【手続補正１】
【補正対象書類名】特許請求の範囲
【補正対象項目名】全文
【補正方法】変更
【補正の内容】
【特許請求の範囲】
【請求項１】
日除けを吊り下げるためのフック部を有する支持アームと、この支持アームの基端側に固定された取付板部と、この取付板部との間で上方開口状の溝部が形成されるように当該取付板部に相対向状に連結された背面板部と、前記溝部内に嵌め込まれたサッシ枠を前記背面板部に押し付けて固定するための締め付け手段と、を備えている日除け吊り具において、
前記締め付け手段は、水平方向にスライド自在となるように前記溝部内に収納されたスライド部材よりなり、
このスライド部材の水平方向一方側への移動に伴って当該スライド部材を前記背面板部側へ移動させることにより、前記溝部内に嵌め込まれた前記サッシ枠を前記背面板部側へ押し付けるためのカム面が前記スライド部材又は前記取付板部に形成されていることを特徴とする日除け吊り具。
【請求項２】
前記スライド部材は前記溝部よりも水平方向に長い板材よりなり、この板材の背面全体がサッシ枠に対する押圧面となっている請求項１に記載の日除け吊り具。
【請求項３】
前記溝部側に突出するガイド突起が前記取付板部に設けられ、
このガイド突起がスライド自在に嵌合する水平方向に延びるガイド溝が、前記板材よりなるスライド部材の前記取付板部側に形成されている請求項２に記載の日除け吊り具。
【請求項４】
前記カム面が前記ガイド溝の底面に形成され、このガイド溝に嵌合する前記ガイド突起の先端が前記カム面に当接することで、前記スライド部材が前記背面板部側へ移動するようになっている請求項３に記載の日除け吊り具。
【請求項５】
前記ガイド突起が前記取付板部の左右両端部に分かれて配置されており、その各ガイド突起に対応する前記カム面を有する前記ガイド溝が複数形成されている請求項４に記載の日除け吊り具。
【請求項６】
前記ガイド突起が前記取付板部の左右両端部及び上下両端部の四隅に分かれて配置されており、その各ガイド突起に対応する前記カム面を有する前記ガイド溝が複数形成されている請求項４に記載の日除け吊り具。
【請求項７】
前記サッシ枠の下端縁に形成された小リブに掛止可能な掛止突起が前記背面板部に形成されている請求項１〜６のいずれか１項に記載の日除け吊り具。
【手続補正２】
【補正対象書類名】明細書
【補正対象項目名】０００９
【補正方法】変更
【補正の内容】
【０００９】  上記課題を達成するために、本発明は次の技術的手段を講じた。
すなわち、本発明は、前記した日除け吊り具において、締め付け手段は、水平方向にスライド自在となるように前記溝部内に収納されたスライド部材よりなり、このスライド部材の水平方向一方側への移動に伴って当該スライド部材を前記背面板部側へ移動させることにより、前記溝部内に嵌め込まれた前記サッシ枠を前記背面板部側へ押し付けるためのカム面が前記スライド部材又は前記取付板部に形成されていることを特徴とする。
【手続補正３】
【補正対象書類名】明細書
【補正対象項目名】００１２
【補正方法】変更
【補正の内容】
【００１２】  また、本発明において、前記溝部側に突出するガイド突起が前記取付板部に設けられ、このガイド突起がスライド自在に嵌合する水平方向に延びるガイド溝が、前記板材よりなるスライド部材の前記取付板部側に形成されていることが好ましい。
この場合、取付板部のガイド突起がスライド部材に形成されたガイド溝にスライド自在に嵌合するので、スライド部材の水平方向の移動がスムーズになり、スライド部材に対する締め付け操作がより簡便になる。
【手続補正４】
【補正対象書類名】明細書
【補正対象項目名】００１３
【補正方法】変更
【補正の内容】
【００１３】  更に、本発明において、前記カム面が前記ガイド溝の底面に形成され、このガイド溝に嵌合する前記ガイド突起の先端が前記カム面に当接することで、前記スライド部材が前記背面板部側へ移動するようになっていることが好ましい。
この場合、スライド部材を背面板部側へ移動させるためのカム面がガイド溝の底面に形成されているので、スライド部材が水平方向一方側に移動するとガイド突起が必ずガイド溝内のカム面に乗り上げることになる。このため、スライド部材に対する締め付け操作がより確実になる。